(57)【要約】ペレット乾燥機（１）は、ハウジング（２）と、流体により流されたペレットを供給するための入口及び乾燥ペレット及び前記流体を排出するための２つの別々の出口（３，１０）と、流体の加速及び自身（４）を囲むスクリーン（５）による該スクリーンの外側への流体の分離並びに前記ハウジングの前記スクリーンの内側での垂直方向に加速されたペレットの連続乾燥を行うための垂直ブレードロータ（４）とを備える。前記ハウジング（２）の頂部にあるファンを備えた追加ブロワ（１８）が設けられており、前記追加ブロワは、前記ブレードロータ（４）の周辺部に位置すると共に、前記ハウジング（２）の内側であって前記ハウジング（２）の内側表面（１６）と前記スクリーン（５）のフレーム（３９）の外側表面（３８）の間にある配管（２０）に接続されている。前記追加ブロワ（１８）の回転速度は、ペレット乾燥機（１）の中央制御装置によって、前記ブレードロータ（４）の回転速度とは無関係に制御される。【選択図】図２
2019533794.tif 000002
【特許請求の範囲】
【請求項１】
ハウジング（２）と、
流体により流されたペレットを供給するための入口及び乾燥ペレット及び前記流体を排出するための２つの別々の出口（３，１０）と、
自身（４）を囲むスクリーン（５）による該スクリーンの外側への流体の分離及び自身（４）のブレード（６）によるペレットの垂直方向の加速及び分離を行うための、並びに、前記ハウジングの前記スクリーンの内側での垂直方向に加速されたペレットの連続乾燥を行うための垂直ブレードロータ（４）と
を備えたペレット乾燥機（１）において、
前記ハウジング（２）の頂部にあるファンを備えた追加ブロワ（１８）が設けられており、前記追加ブロワは、前記垂直ブレードロータ（４）の周辺部に位置すると共に、前記ハウジング（２）の内側であって前記ハウジング（２）の内側表面（１６）と前記スクリーン（５）のフレーム（３９）の外側表面（３８）の間にある配管（２０）に接続されており、前記追加ブロワ（１８）の回転速度は、該ペレット乾燥機（１）の中央制御装置によって、前記垂直ブレードロータ（４）の回転速度とは無関係に制御されることを特徴とするペレット乾燥機（１）。
【請求項２】
前記配管（２０）は円形断面領域（２１）を有するチューブ（１９）を備えることを特徴とする請求項１に記載のペレット乾燥機（１）。
【請求項３】
前記配管（２０）は四辺形断面領域（２４）を有するチューブ（１９）を備えることを特徴とする請求項１に記載のペレット乾燥機（１）。
【請求項４】
前記配管（２０）は台形断面領域（２５）を有するチューブ（１９）を備えることを特徴とする請求項１に記載のペレット乾燥機（１）。
【請求項５】
前記配管（２０）は四辺形断面領域（２４）を有するチューブ（１９）を備え、前記四辺形断面領域は、互いに対向して配置された壁（ａ，ａ’：ｂ，ｂ）をそれぞれの対が有する２対の壁を備え、
互いに対向して配置された壁の第１対（ａ，ａ’）は２つの湾曲した壁（ａ，ａ’）を備え、それらの湾曲した壁のうち、一方の壁（ａ）は前記ハウジング（１６）の湾曲した内側表面に適合すると共に、他方の壁（ａ’）は前記スクリーン（５）のフレーム（３９）の外側表面（３８）に適合し、
互いに対向して配置された壁の第２対（ｂ，ｂ）は真っ直ぐな表面を備えていることを特徴とする請求項１に記載のペレット乾燥機（１）。
【請求項６】
前記配管（２０）の前記壁の第２対（ｂ，ｂ）の前記真っ直ぐな表面は半径方向に配置されていることを特徴とする請求項５に記載のペレット乾燥機（１）。
【請求項７】
前記配管（２０）の前記壁の第２対（ｂ，ｂ）の前記真っ直ぐな表面は互いに平行に配置されていることを特徴とする請求項５に記載のペレット乾燥機（１）。
【請求項８】
前記配管（２０）は前記ハウジング（２）の全内側垂直長（Ｌ）の三分の一と前記ハウジング（２）の前記全内側垂直長（Ｌ）の四分の三との間の長さ（ｌ）を有することを特徴とする請求項１に記載のペレット乾燥機（１）。
【請求項９】
前記配管（２０）は前記ハウジング（２）の内側垂直長（Ｌ）の半分の長さ（ｌ）を有することを特徴とする請求項１に記載のペレット乾燥機（１）。
【請求項１０】
前記配管（２０）は、少なくとも２つの部分が部分的に移動可能に互いの中へ嵌め込まれたテレスコピック構造（３４）を備えることを特徴とする請求項１に記載のペレット乾燥機（１）。
【請求項１１】
前記追加ブロワ（１８）の追加乾燥空気流は前記ペレットの移動方向に逆らう方向に向けられることを特徴とする請求項１に記載のペレット乾燥機（１）。
【請求項１２】
前記配管（２０）は前記垂直ブレードロータ（４）の軸（１２）の垂直方向に対して、３０°と６０°との間、好ましくは３５°と５０°との間の傾斜角αで傾斜した開放領域（２７）を有する出口開口（２６）を備えることを特徴とする請求項１に記載のペレット乾燥機（１）。
【請求項１３】
前記配管（２０）は前記垂直ブレードロータ（４）の軸（１２）の垂直方向に対して、４５°の傾斜角αで傾斜した開放領域（２７）を有する出口開口（２６）を備えることを特徴とする請求項１に記載のペレット乾燥機（１）。
【請求項１４】
前記追加ブロワ（１８）は、前記配管（２０）内に加圧空気を送る空気圧縮機を備え、前記配管（２０）は前記垂直ブレードロータの垂直軸に対して１５°から９０°の範囲内において９０°までの角度αで、好ましくは３０°から５０°の範囲において、最も好ましくは４５°で傾斜している出口ノズル（２９）を有することを特徴とする請求項１に記載のペレット乾燥機（１）。
【請求項１５】
前記追加ブロワ（１８）及び前記ハウジング（２）内の配管に加えて、前記スクリーン（５）の上端（３７）の上方において、前記ハウジング（２）の乾燥ペレットのための前記出口（１０）に誘導プレート（４０）が設けられていることを特徴とする請求項１に記載のペレット乾燥機（１）。
【請求項１６】
前記スクリーン（５）から半径方向外向きに離れている前記ハウジング（２）の内側の円筒形の側面（１６）において前記ハウジング（２）の内側頂部（９）に向かう出口開口（３５）と、前記出口開口（３５）に接続された出口ダクト（３６）とを備え、
前記出口ダクト（３６）は、前記垂直ブレードロータ（４）の中心軸（１２）に対して鋭角（β）で前記出口開口（３５）に取り付けられており、
湾曲した形状の出口誘導プレート（４０）が、前記スクリーン（５）の端部と前記出口ダクト（３６）との間の移行領域において、前記ハウジング（２）の内側で前記ハウジング（２）の前記内側頂部（９）の近くに設けられており、前記出口誘導プレート（４０）は、前記スクリーン（５）の上方中央位置から前記出口開口（３５）を通って前記出口ダクト（３６）内に延びていることを特徴とする請求項１に記載のペレット乾燥機（１）。
【発明の詳細な説明】
【技術分野】
【０００１】
本出願は、２０１６年１０月１４日に出願され、同時係属中の米国特許出願第１５／２９３，８９０号の優先権を有するものであり、これにより優先権を主張する。
【０００２】
本開示は、概してペレット乾燥機に関し、より詳細には追加ブロワ（補足的ブロワ  additional blower)を備えるペレット乾燥機に関する。
【背景技術】
【０００３】
垂直型及び水平型の両方の遠心ペレット乾燥機は、最新の技術において周知であり、外側のハウジングと、ハウジング内に配置されたスクリーンと、スクリーン内の流体とペレットとのスラリーを移動させるためスクリーンに取り付けられたブレードロータ（つまりブレード付きのロータ）とを備え、スクリーンを通しての流体の排出を可能にする。スラリー入口は、流体用及び乾燥ペレット用の２つの出口と共に設けられる。垂直型の遠心ペレット乾燥機は、ガラ・インダストリーズ・インコーポレイテッド（Gala Industries, Inc.）に所有されている、米国特許第３，４５８，９４５号、第４，５６５，０１５号、第４，８９６，４３５号、及び第５，２４５，３４７号で開示されている。このような乾燥機の運転では、乾燥機のロータシャフトが乾燥機から上方に延びて、ブレードロータと接続されている状態で、ハウジング上端にあるブロワとしての排気ファンが乾燥機の内部に直接接続（連通）する。そのため、ブロワのファンとブレードロータとは、同じロータにより駆動される。ブロワは、ペレット排出出口ダクト内に乾燥空気の向流（countercurrent flow）を作り出す。
【０００４】
このようなペレット乾燥機の１つの課題は、ブレードロータのドライバーのメインの回転速度に対してペレットの乾燥を制御することである。このメインの回転速度は、ロータのブレードによるペレットの上方への加速に関して最適化されたものであるが、それは同時に、上方に加速されたペレットに対して反対方向への乾燥空気の向流の量を決定（左右）しており、ペレットの上向きの加速の最適化と、最適化された空気流によるペレットの乾燥の最適化との両方を満たす方法でバランスをとることが困難である。
【先行技術文献】
【特許文献】
【０００５】
【特許文献１】米国特許第３，４５８，９４５号明細書
【特許文献２】米国特許第４，５６５，０１５号明細書
【特許文献３】米国特許第４，８９６，４３５号明細書
【特許文献４】米国特許第５，２４５，３４７号明細書
【発明の概要】
【発明が解決しようとする課題】
【０００６】
本発明の目的は、ペレットの乾燥を向上させることである。本発明の別の目的は、スクリーンにおけるペレット片のいかなる堆積も回避し、その後のスクリーン上の箇所又はスクリーンからペレット乾燥機のペレット出口に向かう移行領域内の箇所でのペレットの凝集を回避することである。本発明のさらなる目的は、いかなる追加の床面積、追加の支持構造を必要とせず、それにより全体的なコストを削減する、上述の目的に合致した遠心ペレット乾燥機を提供することである。本発明のさらなる目的は、ペレット乾燥機のメンテナンスコストを削減し、メンテナンス周期（間隔）を長くすることである。
【０００７】
これらの目的は、独立請求項１の主題（内容）及び従属項の特徴により解決される。さらに、本発明の他の望ましい特性及び特徴は、添付の図面、上述の技術分野、及び背景と併せて、後述する詳細な説明及び添付の特許請求の範囲から明らかになるだろう。
【課題を解決するための手段】
【０００８】
代表的な実施形態によれば、ペレット乾燥機は、ハウジングと、流体で流されたペレット（fluid flushed pellets）を供給するための入口及び乾燥ペレット及び前記流体を排出するための２つの別々の出口と、垂直ブレードロータとを備え、前記垂直ブレードロータは、該垂直ブレードロータを囲むスクリーンによる該スクリーンの外側への流体の分離及び該垂直ブレードロータのブレードによるペレットの垂直方向の加速及び分離（vertical acceleration and separation）を行うための、並びに、前記ハウジングの前記スクリーンの内側での垂直方向に加速されたペレットの連続乾燥を行うためのものであり、前記ハウジングの頂部にあるファンを備えた追加ブロワが設けられており、前記ファンは、前記垂直ブレードロータの周辺部に位置すると共に、前記ハウジングの内側であって前記ハウジングの内側表面と前記スクリーンの外側表面の間にある配管（ductwork)に接続されており、前記追加ブロワのファンの回転速度は、該ペレット乾燥機の中央制御装置によって、前記垂直ブレードロータの回転速度とは無関係に制御される。
【図面の簡単な説明】
【０００９】
本開示は、以下の図面と併せて後述される。図面中の同様の符号は同様の構成要素を示す。
【００１０】
【図１】本発明の実施形態に係るペレット乾燥機の断面図。
【図２】図１に示す本発明の実施形態に係るペレット乾燥機の側面図。
【図３】断面領域を有する配管の部分側面図。
【図４】本発明の一実施形態の配管の断面領域の図。
【図５】本発明の一実施形態の配管の別の断面領域の図。
【図６】本発明の一実施形態の配管の更なる断面領域の図。
【図７】本発明の一実施形態の配管の更に別の断面領域の図。
【図８】本発明の一実施形態の配管の更なる断面領域の図。
【図９】図４の配管の断面領域を有する配管の部分側面図。
【図１０】図４の配管の断面領域を有する配管の部分側面図。
【図１１】図５の配管の断面領域を有する配管の部分斜視図。
【図１２】図５の配管の断面領域を有する配管の部分斜視図。
【図１３】図５の配管の断面領域を有する配管の部分斜視図。
【図１４】図５の配管の断面領域を有する配管の部分斜視図。
【発明を実施するための形態】
【００１１】
図を参照して、図１及び図２は、本発明の一実施形態による垂直型の遠心ペレット乾燥機１の２つの異なるビューを示す。ペレット乾燥機１は、任意の適切な方法で支持された、概ね円筒形の形状である垂直ハウジング２を備える。流体で流されるペレットを供給するため、ペレットと流体とのスラリーは、図２に示されるスラリー入口３０を通ってペレット乾燥機１に入り、傾斜しており一部がスクリーンとなっている管（partially screened tube）３２の形状である流体セパレータ３１に衝突する。流体セパレータ３１は、ペレットを偏向させ、大部分の流体が管３２のスクリーン３３を通り抜け、ハウジング２の第１出口３から排出される。
【００１２】
残留した水分及び流体は、図１で示される、垂直に配置されたブレードロータ４とハウジング２内でブレードロータ４を取り囲んでいる中央の分離用スクリーン５とによってその残留した水分及び流体に加えられた遠心力により、ペレットから分離される。ブレードロータ４のブレード６は、ハウジング２内の連続的な乾燥空気の下方への流れと共に、ペレットを上方に加速する。スリーブ７がハウジング２の外側頂部８に取り付けられているので、乾燥ペレットが、ハウジング２の内側頂部９に近い、乾燥ペレット排出用の第２出口１０に向かって案内されると共に、遠心分離された流体はスクリーン５を通り、スクリーン５の外側であるハウジング２の第１出口３へと排出され得る。ブレードロータ４は、回転速度を提供するための１本の中心軸１２を備え、カバー１３上方の１つのモータ１１によって駆動される。モータ１１はハウジング２の外側頂部８の中心に取り付けられている。
【００１３】
図２及び図３に示されるように、スリーブ７の周辺部に別に（separately)配置された分離ファン(separated fan)を備えた追加ブロワ１８が設けられている。図２に見えるように、発明的な追加ブロワ８を備えたこのペレット乾燥機１はいかなる追加床面積をも必要としない。なぜならば、ハウジング２の外側頂部領域８の周辺部のみがこの新規で発明性のある追加ブロワ１８の搭載及び設置（montage and installation)に使用されるからである。この追加ブロワ１８はハウジング２内部であってハウジングの２の内側表面１６と中央スクリーン５のフレーム３９との間の利用可能なスペースにある配管２０に接続されているので、この発明の追加ブロワ１８と完全にハウジング２内部にある新規な配管２０とは、如何なる追加の床面積も必要としない。
【００１４】
追加ブロワ１８のファン１４の回転速度は、ペレット乾燥機１の図示しない既知の中央制御装置によって、ブレードロータ４の回転速度とは独立して（無関係に）制御することができる。なぜならば、この追加ブロワ１８は独立した電気モータ１８を駆動装置として備えているからである。したがって、ハウジング２内の配管２０に接続された追加ブロワ１８は、有利なことに、ブレードロータ４のモータ１１の主回転速度に対して独立して（主回転速度とは無関係に）ペレットの乾燥を追加的つまり補足的に制御するために、乾燥空気を独立して吹き出す。前記モータ１１の主回転速度は、ブレードロータ４のブレード６によるペレットの上向き加速に対して最適化されなければならないものであるが、それは加えて、上向きに加速されたペレットに対して相反する（contrarious)下向きの乾燥空気流の量を左右（決定）しており、ペレットの上向きの加速の最適化と、最適化された空気流によるペレットの乾燥の最適化との両方を満たす方法でバランスをとることが困難である。
【００１５】
新規な追加ブロワ１８により、ペレットと流体とのスラリーからのペレットの乾燥及び分離のプロセスは独自かつシンプルな方法で最適化することができる。というのは、有利なことに、乾燥空気流を増加させることが可能であるだけではなく、配管２０の最適化された設計によって追加の空気流と主空気流との干渉方向の調整を最適化することも可能であるからである。一実施形態において、図３に示すように、配管２０は、図４に示す円形断面領域２１を有するチューブ１９を備えている。円形断面領域２１は、単純化と低コストという利点を有するが、ハウジング２の湾曲した内側表面１６と中央スクリーン５のフレーム３９の外側表面３８との半径の差によって限定される円形断面領域２１の外径Ｄについて緊密な嵌め合い上の制約（close fitting limitation)がある。
【００１６】
本発明の別の実施形態では、図２に示すように、ハウジング２内の配管２０を有する追加ブロワ１８に加えて、誘導プレート４０が、スクリーン５の上端３７上方の乾燥ペレットのためのハウジング２の第２出口１０に設けられている。出口ダクト３６が、ロータ４の中心軸１２に対して鋭角βで開口３５に取り付けられているため、誘導プレート４０は、スクリーン５の端部３７と出口ダクト３６との間の移行領域を滑らかにし、ペレットを出口ダクト３６へ滑らかに誘導するであろう。したがって、ペレットのためのハウジング２の第２出口１０は、スクリーン５から半径方向外側方向に離れたハウジング２の内側円筒形側面１６に、内側頂部９の方へ向かう開口３５を備え、その開口３５に出口ダクト３６が接続されている。湾曲形状の出口誘導プレート４０はハウジング２内部であってハウジング２の内側頂部９の近くに設けられており、出口誘導プレート４０はスクリーン５の上方の中央位置から出口開口３５を通って出口ダクト３６内へと延びている。
【００１７】
更なる実施形態では、追加ブロワ１８の配管２０は図３に示すように、図２に示すハウジング２の全内側垂直長Ｌの三分の一とハウジング２の全内側垂直長Ｌの四分の三との間の長さｌを有する。これは主たる連続空気流の効果に依存しており、ブレードロータ４の回転速度が大きければ大きいほど、ペレット乾燥深さは深くなり、したがって、追加ブロワ１８の配管２０のチューブ１９の長さｌはハウジング２の全内側垂直長Ｌの四分の三まで長く伸ばすことができる。反対に、ブレードロータ４の回転速度が小さければ小さいほど、ペレット乾燥深さは浅くなり、したがって、追加ブロワ１８の配管２０のチューブ１９の長さｌはハウジング２の全内側垂直長Ｌの四分の三まで短くすることができる。それらを折衷した実施形態では、配管２０はハウジング２の内側垂直長Ｌの半分の長さｌを有する。
【００１８】
更なる実施形態では、配管２０は図５に示すように四辺形断面領域２４を有するチューブ１９を備えている。このチューブ１９は、四辺形断面領域２４の互いに対向する対の辺の幅間の関係を変えることによって、ハウジング２の内側表面１６と中央スクリーン５との間の四辺形断面領域２４を最適化できる。このような最適化の結果として、図４に示す円形と比較して、断面領域がより大きくなり得る。
【００１９】
図６は本発明の一実施形態の配管の更なる断面領域を示している。図６において、配管２０はハウジング２の内側表面１６と中央スクリーン５の外側表面３８との間に嵌まる台形断面領域２５を有するチューブ１９を備えている。台形の傾斜した辺のラインは、好ましくは図６のブレードロータ４の中心軸１２に対して半径方向に調整されている。
【００２０】
図７及び図８は図５及び図６に示したのと同じように四辺形断面領域を有するチューブ１９を備えた配管２０を示しているが、この四辺形断面領域はそれぞれ互いに対向して配置された壁ａ，ａ’及びｂ，ｂを有する２対の壁を備えている。互いに対向して配置された壁の第１対ａ，ａ’は２つの湾曲壁ａ，ａ’を備え、その一方ａはハウジング２の湾曲した内側表面１６に適合し、他方ａ’はスクリーン５のフレーム３９の外側表面３８に適合している。互いに対向して配置された壁の第２対ｂ，ｂは、真っ直ぐな壁（直壁）ｂ，ｂを備えている。図７の直壁ｂ，ｂが互いに平行に並んでいるのに対して、図８の直壁ｂ，ｂはブレードロータの中心軸１２に向けて半径方向に並べられている点において、図７の実施形態は図８の実施形態と異なる。
【００２１】
本発明の更なる実施形態では、配管２０は、図９〜１２に示すように、中央のブレードロータ４の中心軸１２の方向に対して３０°〜５０°の傾斜角、好ましくは３５°〜５０°の傾斜角αで傾斜した開放領域２７を有する出口開口２６を備えているので、追加ブロワ１８の追加的乾燥空気流は流体の水分の遠心方向とは逆向きになる。傾斜角αが小さければ小さいほど、配管２０の出口の傾斜した開放領域は広くかつ大きくなる。配管２０の出口の傾斜した開放領域２７により、追加ブロワ１８の追加的乾燥空気流は一部が流体の水分の遠心方向とは反対方向に向けられ、ブレードロータのブレードによるスクリーン方向へのペレットの加速の遠心成分とは特に反対方向の成分となる。ブレードロータ４に向かって半径方向に流れるこの逆向きの追加的空気流は、スクリーン５を、固定的に堆積したペレット片の無い状態に保つのを助け、スクリーン５の内側表面におけるペレットの如何なる凝集も回避するのをサポートすることができる。したがって、メンテナンスコストが低減され、ペレット乾燥機１のメンテナンス間隔を長くすることが可能になる。
【００２２】
図９及び図１０は図４の配管２０の円形断面領域２１を有する配管２０の部分側面図であって、空気流２８の方向が、半径方向の流れベクトルと下向きの流れベクトルとを有する傾斜方向を有することを示している。傾斜角αが小さくなるにしたがって、半径方向のベクトルが増大し、傾斜角αが大きくなるにしたがって、下向きのベクトルが増大する。図９と図１０との違いは、図９の配管２０はワンピースのストレートチューブ（直管）１９であるのに対して、図１０の配管２０は、運転条件が変化したときに配管の長さを適合させることができるよう、少なくとも２つの部分が部分的に移動可能に互いの中へ嵌め込まれたテレスコピック構造（伸縮自在構造）３４を備える点にある。
【００２３】
図１１及び図１２は図５の配管２０の四辺形断面領域２４を有する配管２０の部分斜視図であって、空気流２８の方向が、半径方向の流れベクトルと下向きの流れベクトルとを有する傾斜方向を有することを示している。傾斜角αが小さくなるにしたがって、半径方向のベクトルが増大し、傾斜角αが大きくなるにしたがって、下向きのベクトルが増大する。図１１と図１２の違いは、図１１の配管２０はワンピースのストレートチューブ（直管）１９であるのに対して、図１２の配管２０は、少なくとも２つの部分が部分的に移動可能に互いの中へ嵌め込まれたテレスコピック構造（伸縮自在構造）３４を備える点にある。
【００２４】
本発明の別の実施形態は、追加ブロワ１８として、配管２０内に圧縮空気を送る空気圧縮機を備える。配管２０は、ブレードロータの軸に対して、１５°から９０°までの範囲内で９０°までの角度αで、好ましくは３０°から５０°まで、最も好ましくは４５°の角度αで傾斜している出口ノズル２９を有する。ノズル２９の空気流は、図９〜１２に示された傾斜した開放出口領域よりも、強く、しかも主方向に集中している。図１３及び１４に示されたノズルは中央のスクリーン５を堆積したペレット片の無い状態に保つ上でより有効であるので、加圧空気を供給するノズル２９がない場合よりも、メンテナンスコストが一層低減され、ペレット乾燥機１のメンテナンス間隔を一層長くすることが可能になる。
【００２５】
上述した本発明の実施形態の詳細な説明は、例示及び説明の目的で示されているが、網羅（制限列挙）的であること、または開示された本発明に限定されることを意図していない。出願時に知られている同等物及び予測可能な同等物を含み、特許請求の範囲に記載された発明の範囲及び趣旨から逸脱することなく、多くの変形例及び修正例は、当業者にとって明らかであるだろう。前記実施形態は、本発明の原理そして実際の応用を最もよく説明するために、かつ、考えられる特定の用途に適するように様々な変更を加えた様々な実施形態について当業者が本発明を理解することを可能とするために、選択され、記載された。
【符号の説明】
【００２６】
１・・・遠心ペレット乾燥機
２・・・垂直ハウジング
３・・・流体のための、ハウジングの第１出口
４・・・ブレードロータ
５・・・中央スクリーン
６・・・ブレードロータのブレード
７・・・スリーブ
８・・・ハウジングの外側頂部
９・・・ハウジングの内側頂部
１０・・・ペレットのための、ハウジングの第２出口
１１・・・メインモータ
１２・・・ファン及びロータの中心軸
１３・・・カバー
１４．．．アダプタ  追加ブロワadapter additional blower
１５．．．サポートアダプタ
１６・・・ハウジングの内側表面
１７．．．中央スクリーンの外側表面
１８．．．追加ブロワ
１９．．．配管（ductwork)のチューブ
２０．．．配管
２１．．．円形断面領域
２４．．．四辺形断面領域
２５．．．台形
２６．．．配管の出口開口
２７．．．傾斜した開放領域
２８．．．空気流方向
２９．．．出口ノズル
３０・・・スラリー入口
３１・・・セパレータ
３２・・・部分的にスクリーンを有する管(一部がスクリーンである管）
３３・・・チューブの傾斜スクリーン
３４．．．テレスコピックチューブ（伸縮嵌め合い管）
３５・・・出口開口
３６・・・ペレットの出口ダクト
３７・・・スクリーン端部
３８．．．スクリーンのフレームの外側表面
３９．．．中央スクリーンのフレーム
４０・・・誘導プレート
ａ，ａ’．．．湾曲壁の対
ｂ，ｂ’．．．真っ直ぐな壁（直壁）の対
Ｄ．．．円形断面の直径
ｌ．．．ハウジング内の配管の長さ
Ｌ．．．ハウジングの内側長
α．．．中心軸に対する出口開口の傾斜角
β．．．中心軸に対するノズルの傾斜角
【図１】
2019533794.tif 000003
【図２】
2019533794.tif 000004
【図３】
2019533794.tif 000005
【図４】
2019533794.tif 000006
【図５】
2019533794.tif 000007
【図６】
2019533794.tif 000008
【図７】
2019533794.tif 000009
【図８】
2019533794.tif 000010
【図９】
2019533794.tif 000011
【図１０】
2019533794.tif 000012
【図１１】
2019533794.tif 000013
【図１２】
2019533794.tif 000014
【図１３】
2019533794.tif 000015
【図１４】
2019533794.tif 000016
【国際調査報告】
2019533794.tif 000017
2019533794.tif 000018
2019533794.tif 000019